(57)【要約】【課題】端子をハウジングの正確な位置に保持しつつ、ハウジングにスペーサを安定して固定することができるコネクタを提供する。【解決手段】コネクタ１は、端子２と、ハウジング３と、スペーサ４とを備えている。前記端子は、外周面に嵌合凹部６を有している。前記ハウジングは、前記端子を収容し得る第１収容室１２、および、前記第１収容室に収容された前記端子の一部を外部に露出させ得る第１露出孔１４を有している。前記スペーサは、前記第１露出孔を被覆し得るスペーサ本体２１、および、前記スペーサ本体から突設されて前記端子の嵌合凹部に嵌入され得る第１リブ２２を有している。前記スペーサは、前記ハウジングの外側開口面１９に対して傾斜した状態で前記ハウジングに嵌合された後、その嵌合方向が前記外側開口面に沿った方向となるように前記ハウジングに固定されている。【選択図】図８
2015056272.tif 000002
【特許請求の範囲】
【請求項１】
外周面に嵌合凹部を有する端子と、
前記端子を挿入し得る第１挿入口、この第１挿入口から挿入される前記端子を収容し得る第１収容室、前記第１挿入口に対してこの第１収容室を挟んで反対側に配置され、前記第１収容室に収容された前記端子を相手側コネクタの端子と嵌合させ得る第１嵌合口、および、前記第１収容室に収容された前記端子の一部を外部に露出させ得る第１露出孔を有し、前記端子を前記第１収容室に収容して保持するように構成されたハウジングと、
前記第１露出孔を被覆し得るスペーサ本体、および、前記スペーサ本体から突設されて前記端子の嵌合凹部に嵌入され得る第１リブを有し、前記スペーサ本体が前記第１露出孔を被覆しかつ前記第１リブが前記第１露出孔を介して前記端子の嵌合凹部に嵌入されるように前記ハウジングにおける前記第１露出孔の外側開口面上に配置された状態で前記ハウジングに固定され、この固定状態で前記ハウジングとともに前記相手側コネクタに嵌合可能に構成されたスペーサとを備え、
前記スペーサは、前記ハウジングの外側開口面に対して傾斜した状態で前記ハウジングに嵌合された後、その嵌合方向が前記外側開口面に沿った方向となるように前記ハウジングに固定されていることを特徴とするコネクタ。
【請求項２】
前記ハウジングと前記スペーサとの嵌合部において、前記ハウジングにおける前記第１露出孔の外側開口面上に嵌合部が設けられ、この嵌合部に係合可能な嵌合突起が前記スペーサに設けられていることを特徴とする請求項１に記載のコネクタ。
【請求項３】
前記スペーサが前記ハウジングに固定された状態において、前記ハウジングの第１嵌合口側の端面に比べて、前記スペーサにおける前記第１嵌合口側の端面が前記ハウジングの第１挿入口側の端面寄りに配置されていることを特徴とする請求項１または請求項２に記載のコネクタ。
【請求項４】
前記スペーサは、前記ハウジングに前記第１嵌合口側で嵌合された後、前記外側開口面に対して近接方向へ移動して、係合方向が前記外側開口面と直交する方向となるように前記ハウジングに前記第１挿入口側で係合されることを特徴とする請求項１から請求項３のいずれか一項に記載のコネクタ。
【請求項５】
前記スペーサの第１リブは、前記スペーサ本体から突出端へ向かって先細状に形成されていることを特徴とする請求項１から請求項４のいずれか一項に記載のコネクタ。
【請求項６】
前記ハウジングは、別の端子を挿入し得る第２挿入口、前記第１収容室に並設され、前記第２挿入口から挿入された前記別の端子を収容し得る第２収容室、前記第２挿入口に対してこの第２収容室を挟んで反対側に配置され、前記第２収容室に収容された前記別の端子を相手側コネクタの端子と嵌合させ得る第２嵌合口、および、前記第２収容室に収容された前記端子の一部を前記ハウジングの外部に露出させ得る第２露出孔を前記スペーサに対して前記第１収容室を挟んで反対側に有し、前記別の端子を前記第２収容室に収容して保持し得るように構成され、かつ、
前記ハウジングは、前記第２露出孔を被覆し得るカバー本体、および、このカバー本体から突設されて前記第２露出孔に嵌入され得る第２リブを含むカバーを有し、前記カバー本体が前記第２露出孔を被覆しかつ前記第２リブが前記第２露出孔を介して前記別の端子の嵌合凹部に嵌入されるように前記第２露出孔を閉塞する閉位置、および前記第２露出孔を開放する開位置をとり得るように構成されていることを特徴とする請求項１から請求項５のいずれか一項に記載のコネクタ。
【請求項７】
前記ハウジングは、前記第１収容室に臨む係止口を備えており、
前記端子は、筒状に形成されかつその内側に接点を有する端子本体と、この端子本体の一部を折り曲げて形成されかつ前記第１収容室への前記端子本体の移動を許容する可撓性を有し、その移動後に前記係止口に係止可能に構成されたランス部とを備えていることを特徴とする請求項１から請求項６のいずれか一項に記載のコネクタ。
【発明の詳細な説明】
【技術分野】
【０００１】
本発明は、コネクタに関する。
【背景技術】
【０００２】
端子を収容し得る収容室を有するハウジング、このハウジングに固定される被腹部材を備えたコネクタとして、たとえば、特許文献１および特許文献２に記載のコネクタが知られている。
【０００３】
この種のコネクタにおいて、端子は、その一部がハウジングの露出孔を介して外部に露出するように収容室に収容された後、前記ハウジングにおける前記露出孔の外側開口面に載置されて固定された被覆部材により被覆されるようになっている。そして、この被覆部材が、前記ハウジングに固定された状態で当該ハウジングとともに相手側コネクタに嵌合されて接続され得るようになっている。
【０００４】
前記コネクタは、前記ハウジングの一端側および前記被覆部材の一端側の一方に突起を備え、他方に係合部を備え、前記ハウジングに前記被覆部材を固定する際に、前記被覆部材を前記ハウジングの外側開口面に上方から重ね合わせつつ、前記突起と前記係合部とを前記外側開口面と直交する方向で係合させることにより、前記被覆部材と前記ハウジングとを固定するようなっている。
【０００５】
しかしながら、前記コネクタに関しては、製造誤差によって、前記被覆部材を前記ハウジングの外側開口面に上方から重ね合わせたときに生じる、前記ハウジングと前記被覆部材との隙間の幅が公差の範囲外となって、これにより、前記ハウジングと前記被覆部材とを正確に係合できなかったり、場合によっては端子が前記収容室で位置ずれしたまま前記ハウジングに保持されてしまい、その結果、前記コネクタの端子と前記相手側コネクタの端子との接触不良が発生したりする可能性があった。
【０００６】
また、前記ハウジングの他端側で前記端子に接続された電線のコジリなどが生じると、前記被覆部材が前記外側開口面に対して浮き上がって、前記ハウジングと前記被覆部材との係合が解除されてしまい、前記被覆部材が前記ハウジングから外れるおそれがあった。
【先行技術文献】
【特許文献】
【０００７】
【特許文献１】特開２００７−０９５３６０号公報
【特許文献２】特開平１０−０７９２７１号公報
【発明の概要】
【発明が解決しようとする課題】
【０００８】
本発明は、このような事情に鑑みてなされたものであり、端子をハウジングの正確な位置に保持しつつ、ハウジングにスペーサを安定して固定することができるコネクタを提供することを目的とする。
【課題を解決するための手段】
【０００９】
請求項１に係る発明は、外周面に嵌合凹部を有する端子と、前記端子を挿入し得る第１挿入口、この第１挿入口から挿入される前記端子を収容し得る第１収容室、前記第１挿入口に対してこの第１収容室を挟んで反対側に配置され、前記第１収容室に収容された前記端子を相手側コネクタの端子と嵌合させ得る第１嵌合口、および、前記第１収容室に収容された前記端子の一部を外部に露出させ得る第１露出孔を有し、前記端子を前記第１収容室に収容して保持するように構成されたハウジングと、前記第１露出孔を被覆し得るスペーサ本体、および、前記スペーサ本体から突設されて前記端子の嵌合凹部に嵌入され得る第１リブを有し、前記スペーサ本体が前記第１露出孔を被覆しかつ前記第１リブが前記第１露出孔を介して前記端子の嵌合凹部に嵌入されるように前記ハウジングにおける前記第１露出孔の外側開口面上に配置された状態で前記ハウジングに固定され、この固定状態で前記ハウジングとともに前記相手側コネクタに嵌合可能に構成されたスペーサとを備え、前記スペーサは、前記ハウジングの外側開口面に対して傾斜した状態で前記ハウジングに嵌合された後、その嵌合方向が前記外側開口面に沿った方向となるように前記ハウジングに固定されているコネクタである。
【００１０】
この構成によれば、前記スペーサと前記ハウジングとを確実に嵌合させて、前記スペーサを前記ハウジングに安定して固定することができる。また、前記スペーサの第１リブを用いて、前記ハウジングからの前記端子の抜け止めを図ることができる。しかも、前記スペーサを前記ハウジングに固定する際、あらかじめ前記端子を前記ハウジングに挿入しておくが、その挿入が正確に行われていなければ、前記第１リブを前記端子の嵌合凹部に挿入できなくなるので（すなわち、前記スペーサを前記ハウジングに固定することができないので）、前記ハウジングに対する前記端子の挿入具合を確実に把握できる。その結果、前記端子を前記ハウジングの正確な位置に保持することが可能となる。
【００１１】
請求項２に係る発明は、請求項１に記載のコネクタにおいて、前記ハウジングと前記スペーサとの嵌合部において、前記ハウジングにおける前記第１露出孔の外側開口面上に嵌合部が設けられ、この嵌合部に係合可能な嵌合突起が前記スペーサに設けられているものである。
【００１２】
この構成によれば、前記ハウジングおよび前記スペーサに関して公差の範囲外の作製誤差が生じた場合でも、この作製誤差を許容して、前記嵌合突起と前記嵌合部との嵌合を行うことができる。
【００１３】
請求項３に係る発明は、請求項１または請求項２に記載のコネクタにおいて、前記スペーサが前記ハウジングに固定された状態において、前記ハウジングの第１嵌合口側の端面に比べて、前記スペーサにおける前記第１嵌合口側の端面が前記ハウジングの第１挿入口側の端面寄りに配置されているものである。
【００１４】
この構成によれば、前記コネクタにおいて、これが前記相手側コネクタと接続される際、その接続にともなって前記相手側コネクタから直接的な衝撃を受けるものが、前記ハウジングのみとなる。つまり、前記スペーサは、前記相手側コネクタから直接的な衝撃を受けない。よって、この接続に起因して前記ハウジングと前記スペーサとの係合が解除されることを阻止できる。
【００１５】
請求項４に係る発明は、請求項１から請求項３のいずれか一項に記載のコネクタにおいて、前記スペーサは、前記ハウジングに前記第１嵌合口側で嵌合された後、前記外側開口面に対して近接方向へ移動して、係合方向が前記外側開口面と直交する方向となるように前記ハウジングに前記第１挿入口側で係合されるものである。
【００１６】
この構成によれば、前記スペーサを傾斜させつつ前記ハウジングの第１嵌合口側において前記スペーサの嵌合突起を前記ハウジングの嵌合部に嵌合させた後、前記第１挿入口側において前記スペーサを前記外側開口面に近づけて前記係合部を前記係合爪に係合できるので、前記ハウジングに対する前記スペーサの固定作業が容易となる。また、前記ハウジングと前記スペーサとを、異なる位置において、嵌合方向および係合方向が互いに異なる方向となるように嵌合および係合するので、より安定して固定できる。
【００１７】
請求項５に係る発明は、請求項１から請求項４のいずれか一項に記載のコネクタにおいて、前記スペーサの第１リブは、前記スペーサ本体から突出端へ向かって先細状に形成されているものである。
【００１８】
この構成によれば、前記第１リブを前記第１露出孔に円滑に嵌入することが可能となる。
【００１９】
請求項６に係る発明は、請求項１から請求項５のいずれか一項に記載のコネクタにおいて、前記ハウジングは、別の端子を挿入し得る第２挿入口、前記第１収容室に並設され、前記第２挿入口から挿入された前記別の端子を収容し得る第２収容室、前記第２挿入口に対してこの第２収容室を挟んで反対側に配置され、前記第２収容室に収容された前記別の端子を相手側コネクタの端子と嵌合させ得る第２嵌合口、および、前記第２収容室に収容された前記端子の一部を前記ハウジングの外部に露出させ得る第２露出孔を前記スペーサに対して前記第１収容室を挟んで反対側に有し、前記別の端子を前記第２収容室に収容して保持し得るように構成され、かつ、前記ハウジングは、前記第２露出孔を被覆し得るカバー本体、および、このカバー本体から突設されて前記第２露出孔に嵌入され得る第２リブを含むカバーを有し、前記カバー本体が前記第２露出孔を被覆しかつ前記第２リブが前記第２露出孔を介して前記別の端子の嵌合凹部に嵌入されるように前記第２露出孔を閉塞する閉位置、および前記第２露出孔を開放する開位置をとり得るように構成されているものである。
【００２０】
この構成によれば、前記別の端子が前記第２挿入口から挿入される際、事前に前記カバーは開位置とされる。そして、前記別の端子が前記第２収容室に収容された後、前記カバーが閉位置とされる。したがって、前記別の端子の挿入が正確に行われていなければ、前記第２リブを前記別の端子の嵌合凹部に挿入できなくなるので（すなわち、前記カバーを閉位置に保持することができないので）、前記ハウジングに対する前記別の端子の挿入具合を確実に把握できる。その結果、前記別の端子を正確な位置に保持することが可能となる。
【００２１】
請求項７に係る発明は、請求項１から請求項６のいずれか一項に記載のコネクタにおいて、前記ハウジングは、前記第１収容室に臨む係止口を備えており、前記端子は、筒状に形成されかつその内側に接点を有する端子本体と、この端子本体の一部を折り曲げて形成されかつ前記第１収容室への前記端子本体の移動を許容する可撓性を有し、その移動後に前記係止口に係止可能に構成されたランス部とを備えているものである。
【００２２】
この構成によれば、前記ランス部を用いて、前記端子を前記ハウジングからより抜けにくくすることができる。しかも、前記端子を、一つの板金のみで作製可能となる。よって、前記端子の作製コストを抑制することができる。また、それぞれ筒状に形成された前記端子の内側に前記相手側コネクタの端子が挿入されることになるので、双方の端子における接点の接触を長期間にわたって良好に維持できる。
【発明の効果】
【００２３】
本発明によれば、端子をハウジングの正確な位置に保持しつつ、ハウジングにスペーサを安定して固定することができるコネクタを提供できる。
【図面の簡単な説明】
【００２４】
【図１】本発明の一実施形態に係るコネクタの斜視図である。
【図２】本発明の一実施形態に係るコネクタの側面図である。
【図３】本発明の一実施形態に係るコネクタの正面図である。
【図４】本発明の一実施形態に係るコネクタの背面図である。
【図５】本発明の一実施形態に係るコネクタの平面図である。
【図６】本発明の一実施形態に係るコネクタの底面図である。
【図７】本発明の一実施形態に係るコネクタの側面断面図である。
【図８】本発明の一実施形態に係るコネクタの側面断面図である。
【図９】本発明の一実施形態に係るコネクタの側面断面図である。
【図１０】本発明の一実施形態に係るコネクタの端子の斜視図である。
【図１１】本発明の一実施形態に係るコネクタの端子の正面図である。
【図１２】本発明の一実施形態に係るコネクタのハウジングの斜視図である。
【図１３】本発明の一実施形態に係るコネクタのセパレータの斜視図である。
【発明を実施するための形態】
【００２５】
本発明の好ましい実施形態について図面を参照しつつ説明する。
【００２６】
以下では、図１に示す矢印Ｘ方向を前記コネクタ１の前後方向前側とし、矢印Ｙ方向を前記コネクタ１の左右方向左側とし、矢印Ｚ方向を前記コネクタの上下方向上側とする。
【００２７】
図１、図２、図３、図４、図５、図６、図７、図８、図９に示すように、前記コネクタ１は、端子２と、ハウジング３と、スペーサ４とを備えている。前記コネクタ１は、相手側コネクタ（図示せず）と電気的に接続可能なものであり、本実施形態においては雄コネクタとされ、前記相手側コネクタが雌コネクタとされている。
【００２８】
図１０、図１１にも示すように、前記端子２は、嵌合凹部６を有している。この嵌合凹部６は、前記端子２の外周面に設けられている。本実施形態において、前記端子２は、雌端子であり、良導電性の金属板から構成されている。前記端子２は、複数（５個）設けられている。なお、本発明における端子数は、本実施形態の端子数に限定されるものではない。
【００２９】
前記端子２は、長手方向を前後方向とするように配置されている。前記嵌合凹部６は、前記端子２の長手方向中途部に配置され、上方に向かって開口するように設けられている。前記端子２の長手方向一端部（前端部）７は、前記相手側コネクタの雄端子と嵌合し得るように構成されている。前記端子２の長手方向他端部（後端部）８は、電線９の長手方向一端部と連結されている。
【００３０】
図１２にも示すように、前記ハウジング３は、第１挿入口１１、第１収容室１２、第１嵌合口１３、第１露出孔１４を有し、前記端子２を前記第１収容室１２に収容して保持するように構成されている。ここで、前記第１挿入口１１は、前記端子２を挿入し得るものである。前記第１収容室１２は、この第１挿入口１１から挿入される前記端子２を収容し得るものである。
【００３１】
前記第１嵌合口１３は、前記第１挿入口１１に対して前記第１収容室１２を挟んで反対側に配置され、前記第１収容室１２に収容された前記端子２を前記相手側コネクタの端子と嵌合させ得るものである。前記第１露出孔１４は、前記第１収容室１２に収容された前記端子２の一部を前記ハウジング３の外部に露出させ得るものである。
【００３２】
本実施形態において、前記ハウジング３は、直方体形状の部材であり、合成樹脂などの絶縁材料で構成されている。前記第１挿入口１１、前記第１収容室１２、前記第１嵌合口１３、前記第１露出孔１４は、前記端子２の数に対応するように複数（５個）設けられている。
【００３３】
前記ハウジング３は、長手方向を前後方向とするように配置されている。このハウジング３において、前記第１挿入口１１は、前記ハウジング３の一方（後方）に向かって開口するように、前記ハウジング３の長手方向一端面（後端面）に設けられている。前記第１挿入口１１は、前記ハウジング３の左右方向に隣り合う他の第１挿入口１１に対して所定間隔を隔てて配置されている。
【００３４】
前記第１収容室１２は、前記ハウジング３の長手方向（前後方向）に沿って延設されている。前記第１収容室１２は、長手方向一端部（後端部）で前記第１挿入口１１と連通接続されている。前記第１収容室１２は、前記ハウジング３の左右方向に隣り合う他の第１収容室１２に対して所定間隔を隔て配置されている。
【００３５】
前記第１嵌合口１３は、前記ハウジング３の他方（前方）に向かって開口するように、前記ハウジング３の長手方向他端面（前端面）に設けられている。前記第１嵌合口１３は、前記第１収容室１２の長手方向他端部（前端部）と連通接続されている。前記第１嵌合口１３は、前記ハウジング３の左右方向に隣り合う他の第１嵌合口１３に対して所定間隔を隔てて配置されている。
【００３６】
前記第１露出孔１４は、前記ハウジング３における一外側面（上面）と前記第１収容室１２との間を上下方向に貫通するように、前記ハウジング３の長手方向中途部に設けられている。こうして、前記第１露出孔１４は、一端の内側開口が前記第１収容室１２に臨み、他端の外側開口が前記ハウジング３の外部に臨むように配置されている。
【００３７】
前記ハウジング３の上面においては、その左右の端部および前端部から左右および前位置決め壁１５・１６・１７がそれぞれ立設され、これらの位置決め壁１５・１６・１７により前記スペーサ４の一部（底部）を収容するための収容溝１８が形成されている。本実施形態においては、この収容溝１８の底面（前記ハウジング３の上面）が、前記ハウジング３における前記第１露出孔１４の外側開口面１９とされている。
【００３８】
図１２にも示すように、前記スペーサ４は、スペーサ本体２１と、第１リブ２２とを有している。前記スペーサ本体２１は、前記ハウジング３の第１露出孔１４を被覆し得るものである。前記第１リブ２２は、前記スペーサ本体２１から突設されて、前記端子２の嵌合凹部６に嵌入され得るものである。本実施形態において、前記スペーサ４は、合成樹脂などの絶縁材料で構成されている。
【００３９】
前記スペーサ４は、前記スペーサ本体２１が前記第１露出孔１４を被覆しかつ前記第１リブ２２が前記第１露出孔１４を介して前記端子２の嵌合凹部６に嵌入されるように、前記ハウジング３における前記第１露出孔１４の外側開口面１９上に配置される。この配置状態で、前記スペーサ４は前記ハウジング３に固定されている。
【００４０】
前記スペーサ４は、前記ハウジング３に固定された状態で前記ハウジング３とともに前記相手側コネクタに嵌合可能に構成されている。本実施形態において、前記スペーサ４は、ロックアーム２３を有し、前記相手側コネクタに嵌合された際にこのロックアーム２３によって前記相手側コネクタから抜けないように構成されている。
【００４１】
そして、前記スペーサ４は、図８に示すように、前記ハウジング３の外側開口面１９に対して傾斜した状態で前記ハウジング３に嵌合された後、その嵌合方向が前記外側開口面に沿った方向（本実施形態においては、前後方向）となるように前記ハウジングに固定されている。
【００４２】
本実施形態においては、図３および図７に示すように、前記ハウジング３と前記スペーサ４との嵌合部において、前記ハウジング３における前記第１露出孔１４の外側開口面１９上に嵌合部２５が設けられ、この嵌合部２５に係合可能な嵌合突起２６が前記スペーサ４に設けられている。
【００４３】
詳しくは、前記嵌合部２５は、前記ハウジング３において前記前位置決め壁１７に設けられている。前記嵌合部２５は、前記前位置決め壁１７の左右方向に延在しかつ前記前位置決め壁１７を前後方向に貫通する貫通孔から構成されている。前記嵌合部２５は、前記前位置決め壁１７の上下方向に関して前記外側開口面１９（下側）寄りに配置されている。
【００４４】
前記嵌合突起２６は、前記スペーサ４の長手方向一端部（前端部）に備えられている。前記嵌合突起２６は、前記スペーサ４の左右方向に延設されるとともに、このスペーサ４の前端面下部から外方（前方）へ突設されている。前記嵌合突起２６の突出端部２７は、前記スペーサ本体２１側から突出端へ（前方へ）向かって先細状に形成されている。
【００４５】
このような構成において、前記スペーサ４が前記ハウジングに固定される際には、まず、図８に示すように、前記スペーサ４が前記ハウジング３の外側開口面１９に対して前低後高の傾斜状に傾けられた状態で、前記嵌合突起２６が前記嵌合部２５に挿入されて嵌合される。前記スペーサ４がこの嵌合部を支点として下方へ回動されて、前記第１リブ２２が前記端子２の嵌合凹部６に嵌入されるように、前記スペーサ４の後側が前記外側開口面１９に近づけられる。そして、図７に示すように、前記スペーサ４が、前記収容溝１８に収容されつつ前記外側開口面１９上に載置され、この載置状態で前記ハウジング３に固定される。
【００４６】
このような構成により、前記スペーサ４と前記ハウジング３とを確実に嵌合させて、前記スペーサ４を前記ハウジング３に安定して固定することができる。また、前記スペーサ４の第１リブ２２を用いて、前記ハウジング３からの前記端子２の抜け止めを図ることができる。しかも、前記スペーサ４を前記ハウジング３に固定する際、あらかじめ前記端子２を前記ハウジング３に挿入しておくが、その挿入が正確に行われていなければ、前記第１リブ２２を前記端子２の嵌合凹部６に挿入できなくなるので（すなわち、前記スペーサ４を前記ハウジング３に固定することができないので）、前記ハウジング３に対する前記端子２の挿入具合を確実に把握できる。その結果、前記端子２を前記ハウジング３の正確な位置に保持することが可能となる。
【００４７】
また、本実施形態においては、前記嵌合部２５および前記嵌合突起２６を用いて、前記スペーサ４を前記ハウジング３に嵌合させるので、前記ハウジング３および前記スペーサ４に関して公差の範囲外の作製誤差が生じた場合でも、この作製誤差を許容して、前記嵌合部２５と前記嵌合突起２６との嵌合を行うことができる。
【００４８】
また、本実施形態においては、図７に示すように、前記スペーサ４が前記ハウジング３に固定された状態において、前記ハウジング３の第１嵌合口１３側の端面に比べて、前記スペーサ４における前記第１嵌合口１３側の端面が前記ハウジング３の第１挿入口１１側の端面寄りに配置されている。つまり、前記スペーサ４（前記嵌合突起２６）の前端面が、前記ハウジング３の前端面よりも所定幅２８ｗだけ後方に配置されている。
【００４９】
このような構成により、前記コネクタ１において、これが前記相手側コネクタと接続される際、その接続にともなって前記相手側コネクタから直接的な衝撃を受けるものが、前記ハウジング３のみとなる。つまり、前記スペーサ４は、前記相手側コネクタから直接的な衝撃を受けない。よって、この接続に起因して前記ハウジング３と前記スペーサ４との係合が解除されることを阻止できる。
【００５０】
また、本実施形態においては、図４に示すように、前記スペーサ４は、前記ハウジング３に前記第１嵌合口１３側（前側）で嵌合された後、前記外側開口面１９に対して近接方向へ移動して、係合方向が前記外側開口面１９と直交する方向（本実施形態においては、上下方向）となるように前記ハウジング３に前記第１挿入口１１側（後側）で係合される。この係合部において、前記ハウジング３に係合爪３１が設けられ、前記スペーサ４に前記係合爪３１と係合可能な係合部３２が設けられている。
【００５１】
前記係合爪３１は、樹脂バネからなり、前記右位置決め壁１６の後方に設けられている。前記係合爪３１は、上下方向に延設されており、上端部に爪部３３を有し、下端部で前記ハウジング３の本体に連結されている。前記係合部３２は、前記スペーサ４の後端部から側方へ突出するように設けられている。そして、前記係合部３２は、前記爪部３３の下方に位置するように下方へ押し込まれることで、前記係合爪３１と係合するようになっている。なお、この係合時には、前記スペーサ４が前記収容溝１８に収容された状態となり、前記ハウジング３の上面の後位置決め壁３５によって、このスペーサ４の後方への抜け止めがなされる。
【００５２】
このような構成により、前記スペーサ４を傾斜させつつ前記ハウジング３の第１嵌合口１３側（前側）で前記スペーサ４の嵌合突起２６を前記ハウジング３の嵌合部２５に嵌合させた後、前記スペーサ４をこの嵌合部を支点として下方へ回動させることにより前記第１挿入口１１側（後側）で前記外側開口面１９に近づけて前記係合部３２を前記係合爪３１に係合できるので、前記ハウジング３に対する前記スペーサ４の固定作業が容易となる。また、前記ハウジング３と前記スペーサ４とを、異なる位置において、嵌合方向および係合方向が互いに異なる方向となるように嵌合および係合するので、より安定して固定できる。
【００５３】
また、本実施形態においては、図７および図１３に示すように、前記スペーサ４の第１リブ２２は、前記スペーサ本体２１側から突出端（下方）へ向かって先細状に形成されている。この構成により、前記第１リブ２２を前記第１露出孔１４に円滑に嵌入することが可能となる。
【００５４】
また、本実施形態においては、図１、図３、図４、図６および図７に示すように、前記ハウジング３は、第２挿入口４１、第２収容室４２、第２嵌合口４３、第２露出孔４４を前記スペーサ４に対して前記第１収容室１２を挟んで反対側に有し、別の端子２を前記第２収容室４２に収容して保持するように構成されている。ここで、前記第２挿入口４１は、前記別の端子２を挿入し得るものである。前記第２収容室４２は、前記第１収容室１２に並設され、前記第２挿入口４１から挿入された前記別の端子２を収容し得るものである。
【００５５】
前記第２嵌合口４３は、前記第２挿入口４１に対して前記第２収容室４２を挟んで反対側に配置され、前記第２収容室４２に収容された前記別の端子２を相手側コネクタの端子と嵌合させ得るものである。前記第２露出孔４４は、前記第２収容室４２に収容された前記他の端子２の一部を前記ハウジング３の外部に露出させ得るものである。
【００５６】
前記ハウジング３において、前記第２挿入口４１は、前記ハウジング３の後方に向かって開口するように、前記ハウジング３の長手方向一端面（後端面）に設けられている。前記第２挿入口４１は、前記第１挿入口１１の下方において、前記ハウジング３の左右方向に隣り合う他の第２挿入口４１に対して所定間隔を隔てて配置されている。
【００５７】
前記第２収容室４２は、前記ハウジング３の長手方向（前後方向）に沿って延設されている。前記第２収容室４２は、長手方向一端部（後端部）で前記第２挿入口４１と連通接続されている。前記第２収容室４２は、前記第１収容室１２の下方において、前記ハウジング３の左右方向に隣り合う他の第２収容室４２に対して所定間隔を隔て配置されている。
【００５８】
前記第２嵌合口４３は、前記ハウジング３の前方に向かって開口するように、前記ハウジング３の長手方向他端面（前端面）に設けられている。前記第２嵌合口４３は、前記第２収容室４２の長手方向他端部（前端部）と連通接続されている。前記第２嵌合口４３は、前記第１嵌合口１３の下方において、前記ハウジング３の左右方向に隣り合う他の第２嵌合口４３に対して所定間隔を隔てて配置されている。
【００５９】
前記第２露出孔４４は、前記ハウジング３における他の外側面（下面）と前記第２収容室４２との間を上下方向に貫通するように、前記ハウジング３の長手方向中途部に設けられている。こうして、前記第２露出孔４４は、一端の内側開口が前記第２収容室４２に臨み、他端の外側開口が前記ハウジング３の外部に臨むように配置されている。
【００６０】
そのうえで、前記ハウジング３が、カバー本体４６および第２リブ４７を含むカバー４５を有している。前記カバー本体４６は、前記第２露出孔４４を被覆し得るものである。前記第２リブ４７は、前記カバー本体４６から突設されて、前記第２露出孔４４に嵌入され得るものである。
【００６１】
前記カバー４５は、前記第２露出孔４４を閉塞する閉位置、前記第２露出孔４４を開放する開位置をとり得るように構成されている。前記カバー４５が閉位置をとる際、前記カバー本体４６が前記第２露出孔４４を被覆し、かつ、前記第２リブ４７が前記第２露出孔４４を介して前記別の端子２の嵌合凹部６に嵌入されるようになっている。
【００６２】
詳しくは、前記カバー４５は、前記ハウジング３の底部に設けられている。前記カバー４５は、前記カバー本体４６の一端部で前記ハウジング３の本体に一体に連結されるとともに、前記カバー本体４６の他端部の内側に前記第２リブ４７が位置するように形成されている。そして、前記カバー４５は、前記ハウジング３の本体との連結部を支点として上下方向に回動可し得るように構成され、前記第２リブ４７から突出する突起４８を前記ハウジング３の本体側に係合することで閉位置に保持され得るように構成されている。なお、前記カバー４５は、前記ハウジング３の本体に対して別体としてもよい。
【００６３】
このような構成において、前記別の端子２が前記第２挿入口４１から挿入される際、図９に示すように、事前に前記カバー４５は開位置とされる。そして、前記別の端子２が前記第２収容室４２に収容された後、図７に示すように、前記カバー４５が閉位置とされる。したがって、前記別の端子２の挿入が正確に行われていなければ、前記第２リブ４７を前記別の端子２の嵌合凹部６に挿入できなくなるので（すなわち、前記カバー４５を閉位置に保持することができないので）、前記ハウジング３に対する前記別の端子２の挿入具合を確実に把握できる。その結果、前記別の端子２を正確な位置に保持することが可能となる。
【００６４】
また、本実施形態においては、図７に示すように、前記ハウジング３が、前記第１収容室１２に臨む第１係止口５１を備えている。図６、図７、図１０、図１１に示すように、前記端子２は、端子本体５５と、ランス部５６とを備えている。
【００６５】
前記端子本体５５は、筒状に形成され、かつ、その内側に接点５７を有するものである。本実施形態において、前記端子本体５５は、その前端部が四角筒状に形成され、四つの内側面のそれぞれに前記接点５７が位置するように構成されている。
【００６６】
前記ランス部５６は、この端子本体５５の一部を折り曲げて形成されている。前記ランス部５６は、前記第１収容室１２への前記端子本体５５の移動を許容する可撓性を有している。そして、前記ランス部５６は、前記端子本体５５の移動後に前記第１係止口５１に係止可能に構成されている。
【００６７】
本実施形態において、前記ランス部５６は、前記接点５７と前記嵌合凹部６との間に配置され、前記端子本体５５の一外周側壁の外側に設けられている。前記ランス部５６は、前記一外周側壁に対して斜設され、その長手方向一端部（前端部）で前記端子本体５５に連結されている。前記ランス部５６は、前記端子２が前記第１挿入口１１に挿入される際に前記ハウジング３の内壁に接触すると、前記第１収容室１２への前記端子本体５５の移動が許容されるように前記一外周側壁に対して近接方向へ一時的に撓み、その後に復帰して前記第１係止口５１に係止される構成とされている。
【００６８】
このような構成により、前記ランス部５６を用いて、前記端子２を前記ハウジング３からより抜けにくくすることができる。しかも、前記端子２を、一つの板金のみで作製可能となる。よって、前記端子２の作製コストを抑制することができる。また、それぞれ筒状に形成された前記端子２の内側に前記相手側コネクタの端子が挿入されることになるので、双方の端子における接点の接触を長期間にわたって良好に維持できる。
【００６９】
なお、本実施形態においては、図７に示すように、前記ハウジング３が、前記第２収容室４２に臨む第２係止口５２を備えている。また、前記別の端子２が、端子本体５５と、ランス部５６とを備えている。このランス部５６は、前記第２収容室４１２への前記端子本体５５の移動を許容する可撓性を有し、その移動後に前記第２係止口５２に係止可能に構成されている。これにより、前記別の端子２に関しても、上述した前記端子２に関する作用効果と同様の作用効果を得ることができる。
【符号の説明】
【００７０】
１      コネクタ
２      端子
３      ハウジング
４      スペーサ
６      嵌合凹部
１１    第１挿入口
１２    第１収容室
１３    第１嵌合口
１４    第１露出孔
１９    外側開口面
２１    スペーサ本体
２２    第１リブ
２５    嵌合部
２６    嵌合突起
４１    第２挿入口
４２    第２収容室
４３    第２嵌合口
４４    第２露出孔
４５    カバー
４６    カバー本体
４７    第２リブ
５１    第１係止口
５５    端子本体
５６    ランス部
【図１】
2015056272.tif 000003
【図２】
2015056272.tif 000004
【図３】
2015056272.tif 000005
【図４】
2015056272.tif 000006
【図５】
2015056272.tif 000007
【図６】
2015056272.tif 000008
【図７】
2015056272.tif 000009
【図８】
2015056272.tif 000010
【図９】
2015056272.tif 000011
【図１０】
2015056272.tif 000012
【図１１】
2015056272.tif 000013
【図１２】
2015056272.tif 000014
【図１３】
2015056272.tif 000015